(57)【要約】【課題】携帯型電子装置に接続されたコードを収納して携帯型電子装置を使用でき、かつ、携帯型電子装置に対し着脱可能であるコード収納部付携帯型電子装置を提供する。【解決手段】携帯型音楽再生装置１は、耳たぶ取付型脈拍センサ８とイヤフォン１０と共に使用される。コードプラグ６から脈拍センサコード７とジャックコード２１が引き出される。コード収納カバー１２内のジャックに、イヤフォンコード９のプラグが差し込まれる。携帯型音楽再生装置１は装置固定ベルト３により装置受皿２に固定される。装着ベルト４を腕１４に巻き付ける。コード収納カバー１２は、脈拍センサコード７とイヤフォンコード９の余長を包むようにして収納する。コード収納カバー１２は、面ファスナにより、装置受皿２の裏面にある装置固定ベルト３の裏面に着脱自在に取り付けられる。【選択図】図１
2010075263.tif 000002
【特許請求の範囲】
【請求項１】
携帯型電子装置本体部と、
該携帯型電子装置本体部が取り付けられる台座部と、
該台座部に取り付けられ、使用者の腕に装着される装着ベルトと、
面状で折り曲げ可能なコード収納部を有し、
前記台座部は、当該裏面に第１の結合部材を有し、
前記コード収納部は、当該一方の面に、収納領域と該収納領域を間にして取付領域と重ね合わせ領域を有し、
前記取付領域には、前記第１の結合部材に対し着脱自在に結合される第２の結合部材を有し、
前記収納領域には、第１の面ファスナを有し、
前記重ね合わせ領域には、前記第１の面ファスナに着脱自在に結合される第２の面ファスナを有し、
前記コード収納部が折り曲げられて前記第１の面ファスナと前記第２の面ファスナとが面結合することにより、前記コード収納部に前記携帯型電子装置本体部に接続されるコードの余長が収納されるようにした、
ことを特徴とするコード収納部付携帯型電子装置。
【請求項２】
前記第２の結合部材は、前記コード収納部が前記台座部に対し前記装着ベルトに直交する方向に配置されたときに前記第１の結合部材の形状に対向する形状である、
ことを特徴とする請求項１に記載のコード収納部付携帯型電子装置。
【請求項３】
携帯型電子装置本体部と、
面状で折り曲げ可能なコード収納部を有し、
前記携帯型電子装置本体部は、当該裏面に第１の結合部材を有し、
前記コード収納部は、当該一方の面に、収納領域と該収納領域を間にして取付領域と重ね合わせ領域を有し、
前記取付領域には、前記第１の結合部材に対し着脱自在に結合される第２の結合部材を有し、
前記収納領域には、第１の面ファスナを有し、
前記重ね合わせ領域には、前記第１の面ファスナに着脱自在に結合される第２の面ファスナを有し、
前記コード収納部が折り曲げられて前記第１の面ファスナと前記第２の面ファスナとが面結合することにより、前記コード収納部に前記携帯型電子装置本体部に接続されるコードの余長が収納されるようにした、
ことを特徴とするコード収納部付携帯型電子装置。
【請求項４】
前記コード収納部の他面は、クッション性のあるメッシュ材である、
ことを特徴とする請求項１から３までのいずれか１項に記載のコード収納部付携帯型電子装置。
【請求項５】
前記収納領域における前記コード収納部は、当該幅が、前記取付領域から前記重ね合わせ領域に近づくにつれて徐々に短くなっている、
ことを特徴とする請求項１から４までのいずれか１項に記載のコード収納部付携帯型電子装置。
【発明の詳細な説明】
【技術分野】
【０００１】
本発明は、携帯型電子装置に接続されたコードの余長を収納して携帯型電子装置を使用できる、コード収納部付携帯型電子装置に関するものである。
このような携帯型電子装置としては、例えば、耳たぶ取付型脈拍センサコードやジャックコード、イヤフォンコードを接続して使用される電子音楽装置がある。
【背景技術】
【０００２】
従来、ジョギングなどの運動をしながら音楽を聞くために、ユーザ（使用者）の上膊（二の腕）にアームバンドで装着して使用される携帯型音楽再生装置が製品化されている（非特許文献１参照）。
この携帯型音楽再生装置に、耳たぶ取付型脈拍センサコードとイヤフォンコードとを接続する際、コードユニットとして、携帯型音楽再生装置へのプラグを共通化し、このプラグから両コードが結合状態で一体となって引き出され、コード端部近くで分離されたものを用いている。
【０００３】
上述した先行技術では、長いコードを束ねたり、コードを衣服に留めたりするために、「ケーブルクリップ」を使用している。これは、３枚の平行板材を、それらの一辺を共通板材で一体化することにより２個の凹部を形成し、この凹部にコードを挿入するものである。
しかし、束ねられたコードは、雑然としているし、使用中に何かの拍子で物に引っかかったりするという問題がある。
【０００４】
一般に、イヤフォンコードを携帯型電子装置内に巻き取るものがある。しかし、巻取機構のために、その内部構造が複雑になるだけでなく、細くて柔らかいコードしか巻き取れないと言う問題がある。
また、携帯型音響機器の不使用時に、この携帯型音響機器を収納する袋の外側に帯を設け、束ねたイヤフォンコードを包み込んで収納するものが知られている（特許文献１参照）。
しかし、この携帯型音響機器は、その使用状態においては、イヤフォンコードの余長分を収容できないという問題がある。
【０００５】
一方、上述した非特許文献１に記載のアームバンドは、腕に装着されるために、特に、携帯型電子装置が装着される部分の裏面が汗などで汚れやすい。しかし、アームバンドと携帯型電子装置を装着したケースとが一体のものである。
従って、アームバンドを洗浄するには、携帯型電子装置を先ずケースから取り外す必要がある。また、ケースとアームバンドの全体を洗うことになるから、汗がつかない部分も、水や洗剤に強い材質のものにする必要があった。
【非特許文献１】BF-1 Owner's Manual Ver. 1.1.d、［online］、［平成２０年８月２５日検索］、インターネット、＜http://www2.yamaha.co.jp/manual/pdf/emi/english/others/bf1_en_om_v11d2.pdf＞
【特許文献１】特開平１０−８５０１９号公報
【発明の開示】
【発明が解決しようとする課題】
【０００６】
本発明は、上述した問題点を解決するためになされたもので、携帯型電子装置に接続されたコードを収納して携帯型電子装置を使用でき、かつ、携帯型電子装置に対し着脱可能であるコード収納部付携帯型電子装置を提供することを目的とするものである。
【課題を解決するための手段】
【０００７】
本発明は、請求項１に記載の発明においては、携帯型電子装置本体部と、該携帯型電子装置本体部が取り付けられる台座部と、該台座部に取り付けられ、使用者の腕に装着される装着ベルトと、面状で折り曲げ可能なコード収納部を有し、前記台座部は、当該裏面に第１の結合部材を有し、前記コード収納部は、当該一方の面に、収納領域と該収納領域を間にして取付領域と重ね合わせ領域を有し、前記取付領域には、前記第１の結合部材に対し着脱自在に結合される第２の結合部材を有し、前記収納領域には、第１の面ファスナを有し、前記重ね合わせ領域には、前記第１の面ファスナに着脱自在に結合される第２の面ファスナを有し、前記コード収納部が折り曲げられて前記第１の面ファスナと前記第２の面ファスナとが面結合することにより、前記コード収納部に前記携帯型電子装置本体部に接続されるコードの余長が収納されるようにしたものである。
【０００８】
従って、携帯型電子装置の内部構成を変更することなく、コードの余長を収納することができる。コード収納部は必要がない場合に取り外せる。収納するコードの太さ、長さ、コードに付属するプラグに応じて、コード収納部の折り曲げ位置を調整できる。
上述した第１の結合部材と第２の結合部材として、面ファスナのような面結合部材を用いることができるほか、凹部と凸部とが対になった留め金具である、複数個のスナップボタン（ホック）のような結合部材であってもよい。
【０００９】
請求項２に記載の発明においては、請求項１に記載のコード収納部付携帯型電子装置において、前記第２の結合部材は、前記コード収納部が前記台座部に対し前記装着ベルトに直交する方向に配置されたときに前記第１の結合部材の形状に対向するものである。
従って、使用者の腕に装着ベルトを装着した状態でも、装着ベルトと干渉することなくコード収納部を取り付けることができる。
上述したコード収納部の配置を実現するには、例えば、第１の結合部材と第２の結合部材として、面ファスナを用いた場合、両者の面ファスナの外形状が対向状態で一致する形状にする。また、複数個のスナップボタンを用いた場合、凹凸一対のスナップボタンが対向するように位置合わせする。
【００１０】
請求項３に記載の発明においては、コード収納部付携帯型電子装置において、携帯型電子装置本体部と、面状で折り曲げ可能なコード収納部を有し、前記携帯型電子装置本体部は、当該裏面に第１の結合部材を有し、前記コード収納部は、当該一方の面に、収納領域と該収納領域を間にして取付領域と重ね合わせ領域を有し、前記取付領域には、前記第１の結合部材に対し着脱自在に結合される第２の結合部材を有し、前記収納領域には、第１の面ファスナを有し、前記重ね合わせ領域には、前記第１の面ファスナに着脱自在に結合される第２の面ファスナを有し、前記コード収納部が折り曲げられて前記第１の面ファスナと前記第２の面ファスナとが面結合するることにより、前記コード収納部に前記携帯型電子装置本体部に接続されるコードの余長が収納されるようにしたものである。
この請求項２に記載の発明は、請求項１に記載の発明における台座部がなく、携帯型電子装置本体部の裏面に着脱自在な結合用の第１の結合部材を設けたものである。使用者の腕に装着される装着ベルトを用いる場合は、携帯型電子装置本体部に取り付ければよい。
請求項１に記載の発明と同様に、携帯型電子装置の内部構成を変更することなく、コードの余長を収納することができる、このコード収納部は必要がない場合に取り外せる等の作用を奏する。
【００１１】
請求項４に記載の発明においては、請求項１から３までのいずれか１項に記載のコード収納部付携帯型電子装置において、前記コード収納部の他面は、クッション性のあるメッシュ材である。
従って、コード収納部が使用者の腕部やその他の体の一部を押さえることになっても、クッション性のあるメッシュ材が通気性とクッション性を有するために、使用者に不快感や圧迫感を与えない。
【００１２】
請求項５に記載の発明においては、請求項１から４までのいずれか１項に記載のコード収納部付携帯型電子装置において、前記収納領域における前記コード収納部は、当該幅が、前記取付領域から前記重ね合わせ領域に近づくにつれて徐々に短くなっている。
従って、コード収納部の幅が短くなった包み込み部分にコードを巻き付けやすくなるから、コードを巻き付ける方法で収納することもできる。
【発明の効果】
【００１３】
本発明によれば、携帯型電子装置本体部の使用中に携帯型電子装置本体部に接続されたコードの余長をコード収納部に収納でき、かつ、このコード収納部を取り外せるという効果がある。
その結果、コード収納部のみを取り外して洗ったり、コード収納部が必要ない場合に取り外した状態で携帯型電子装置本体部を使用することができたりする。
このコード収納部は、コードを包み込むものであるため、コードが整然と収容され、コードが何かに引っかかることが少ない。
【発明を実施するための最良の形態】
【００１４】
図１は、本発明の実施の一形態を示す説明図である。使用者の体の位置を１点鎖線で示している。
まず、携帯型音楽再生装置（携帯型電子装置本体部）１について簡単に説明しておく。
この携帯型音楽再生装置１は、使用者の身体に装着し、身体の各部に対する信号を送受信する携帯型電子装置である。具体的には、使用者の二の腕に装着し、耳たぶ取付型脈拍センサ８とイヤフォン（電気音響変換器）１０と共に使用し、これらとの間を電気接続用のコードで接続している。
【００１５】
使用者は、この携帯型音楽再生装置１を、携帯音楽プレーヤ、例えば、MP3（MPEG-1 Audio Layer-III）プレーヤとして使用し、内蔵記憶装置に記憶された多数の曲の中から好みの音楽を再生できる。
使用者は、ジョギングなどの反復運動をしながらこの携帯型音楽再生装置１で音楽再生をする場合は、使用者の歩行テンポ又は走行テンポ（反復運動テンポ）の変化に追従して、反復運動テンポに対応した値の音楽テンポの曲を再生できる。
また、運動計画に従って使用者の反復運動を支援する場合、この携帯型音楽再生装置１は、使用者の心拍数（脈拍数）と目標運動強度に対応する目標心拍数との差が小さくなるように、音楽テンポの値を決定し、決定した音楽テンポの曲を再生する。使用者が再生される曲の音楽テンポに対応した反復運動テンポで反復運動をすれば、使用者に最適な運動ができるようになる。
【００１６】
ここで、使用者の脈拍は、耳たぶ取付型脈拍センサ８の出力に基づいて計算される。一方、使用者の反復運動テンポは、携帯型音楽再生装置１に内蔵された反復運動テンポ検出器で検出する。例えば、２軸あるいは３軸加速度センサ、あるいは、振動センサであって、使用者の腕の動きにより、すなわち、右又は左足で一歩（ステップ）を進めた時の衝撃を検出し、携帯型音楽再生装置１に内蔵されたマイクロコンピュータにより、歩行ステップのタイミングを抽出するアルゴリズムを実行し、１ステップの時間長を計測し、反復運動テンポを計算する。
【００１７】
この携帯型音楽再生装置１は、装置受皿２に載置されたとき、図２を参照して説明する係合突部１ｊと係合凹部２ａとが係合する。この装置固定ベルト２には、リング部材５が挿通されている。
装置受皿２には装着ベルト４が取り付けられており、装着ベルト４を使用者の腕１４に巻き付け、その端部をリング部材５に挿通して折り返す。折り返された端部を引っ張って、装着ベルト４の外周面に面ファスナで面結合する。その際、装置固定ベルト３が引っ張られることにより、携帯型音楽再生装置１は装置受皿２に強く押し付けられた状態となって、装置受皿２に固定される。
【００１８】
携帯型音楽再生装置１のコネクタ端子部１ｋ（図２（ｂ））に、電気接続用のコードプラグ（共通プラグ）６が差し込まれている。コードプラグ６からは、脈拍センサコード（主コード）７とジャックコード２１が引き出される。コード収納カバー（コード収納部）１２内において、ジャックコード２１に接続されたジャック２２（図２、図４参照）に差し込まれたイヤフォンプラグ４１（図４参照）にイヤフォンコード（副コード）９が接続される。
脈拍センサコード７には、脈拍センサ８が接続される。イヤフォンコード９は、イヤフォンコード分岐部材１１を経て、左耳用のイヤフォンコード９L、右耳用のイヤフォンコード９Rに別れ、それぞれ、左耳用のイヤフォン１０Lと図示しない右耳用のイヤフォン１０Rとに接続される。これらのコードは、電気接続用のコードである。
【００１９】
脈拍センサ８は、バネにより付勢されたクリップ構造により、使用者の耳１５の耳たぶを挟む。脈拍センサ８の一対のクリップ片に、相対向する発光素子、受光素子が収容されており、血流の透過光を利用して脈拍を検出する。
一方、イヤフォン１０（１０R、１０L）は、使用者の耳１５に架けられて、その耳甲介腔に挿入される。
上述したイヤフォン１０は、電気音響変換器の一具体例である。使用者は、イヤフォン１０に代えて、ヘッドフォンを用いたり、小型のボックスに収容された外部スピーカを用いたりすることもできる。
コード収納カバー１２は、イヤフォンコード９の折り畳まれた余長を収納する。コード収納カバー１２は、装置受皿２の裏に取り付けられた装置固定ベルト３の裏面に、相互の結合部材により、着脱自在に取り付けられる。
【００２０】
本願発明の実施形態においては、脈拍センサコード７とジャックコード２１とが、コードプラグ６から分離して引き出され、ジャックコード２１にジャック２２が接続されたコードユニットを用いることができる。イヤフォンコード９のイヤフォンプラグ１０は、ジャックコード２１に接続されたジャック２２に差し込む。しかし、２本に分離したコードの取扱いが煩わしい。
そのため、両コードの複数箇所を、コードクリップ（コード結束部材）１３により結束し、脈拍センサコード７にイヤフォンコード９を沿わせて取り付けるようにした。
【００２１】
図の右上に拡大して示すように、コードクリップ１３は、脈拍センサコード７が挿通される主コード挿通孔５２とイヤフォンコード９が挿通される副コード挿通凹部５３を有し、この副コード挿通凹部５３は、イヤフォンコード９が導入される際、及び、イヤフォンコード９が導出される際に、イヤフォンコード９の押圧による弾性変形により、開口部が一時的に拡幅する。コードクリップ１３の詳細な構造は、図５を参照して後述する。
【００２２】
図２は、図１に示した携帯型音楽再生装置１、装置固定ベルト３、装着ベルト４等の詳細を示す構造図である。
図２（ａ）は平面図、図２（ｂ）は左側面図（図示右側方向を前面という）、図２（ｃ）は台座部２５の裏面及び装着ベルト４の裏面を示す底面図である。
携帯型音楽再生装置１は、使用者の腕１４（右の二の腕）に装着することを想定したもので、左側面が手先側、右側面が肩側になる。
図２（ｃ）は、装着ベルト４の端部（摘み２８がある側）がリング部材５に挿通される前において、図３に示すコード収納カバー１２又はパッド３１（一点鎖線で示す）が取り外された状態を示している。
【００２３】
図２（ａ）、図２（ｂ）に示すように、携帯型音楽再生装置１は、装着ベルト３の長手方向に長い筐体であって、台形の側面を有した上部筐体１ａと、この上部筐体１ａよりも若干小さな逆台形の側面を有した下部筐体１ｂを有する。
図２（ａ）に示すように、上部筐体１ａの表面が装置固定ベルト３の窓部３ａから見えている。１ｃは電源スイッチ、１ｄは押下操作スイッチ、１ｅは指掛部、１ｆ，１ｇはレバースイッチ、１ｈは液晶表示画面である。レバースイッチ１ｆ，１ｇは、液晶表示画面１ｈのある側に押圧することにより作動する。装置固定ベルト３に隠れている１ｉはUSBコネクタ端子収容部であり、蓋を開けると、パーソナルコンピュータに接続するためのUSBコネクタ端子部が露出する。
【００２４】
図２（ｂ）に示すように、装置受皿２は、下部筐体１ｂを収容する形状をし、その上面の外枠は、上部筐体１ａの最下部の外周と略一致する。
下部筐体１ｂの左右両側面には、係合凸部１ｊが形成されている。これに係合する係合凹部２ａが装置受皿２に形成されていることにより、携帯型音楽再生装置１を装置受皿２に着脱自在に装着できる。
２ｂは摘みであって、この摘み２ｂを上から押圧すると装置受皿２の側面が拡がることにより、係合凸部１ｊと係合凹部２ａとの係合が外れる。
【００２５】
上部筐体１ａの右側面には、コネクタ端子部１ｋ（図２（ｂ）に破線で示す）が形成されている。このコネクタ端子部１ｋには、コードプラグ６が差し込まれ電気的に接続される。コードプラグ６からは脈拍センサコード７と短いジャックコード２１とが引き出されている。このジャック２２には、イヤフォンプラグ４１（図６）が差し込まれる。
【００２６】
図２（ｂ）に示すように、装置固定ベルト３はリング部材５に挿通された箇所で曲げられる。その下部側の下面に面ファスナ（パイル面、メス部）２３が、縫い合されることにより、固着されている。また、その下部側の上面の図示右側（（携帯型音楽再生装置１の前面）に寄せて、装置受皿２が、装置固定ベルト３と面ファスナ２３とに、例えば、４個の鳩目２９（図２（ｃ））で結合されている。
装置固定ベルト３のうち、面ファスナ２３が取り付けられている部分は、比較的剛性の大きな部分となり、台座部２５を構成している。
【００２７】
装置受皿２の図示右端部（携帯型音楽再生装置１の前端側）に接合部２６がある。ここにおいて、装置固定ベルト３の上端部３ｂと下端部３ｃとの間に、装着ベルト４の一端部が挟まれ、下端部３ｃの裏面に面ファスナ２３の端部が重ねられ、これらが縫い合わせにより結合される。
装着ベルト４は、例えば、裏面（腕１４に接する面）を基布面４ａとし、表面をパイル面４ｂとした、長手方向に伸縮性のある面ファスナである。
【００２８】
装着ベルト４がリング部材５に挿通されて曲げられたベルトの先端部においては、パイル面４ｂの上に面ファスナ（フック面、オス部）２７が重ねられ、基布面４ａの上に摘み２８が重ねられて、縫い合わせ等により結合されている。
面ファスナ（フック面）２７は、装着ベルト４のパイル面４ｂのどの部分にも面結合できるから、使用者の腕１４の太さに応じて、装着ベルト４の巻付け長さを調整できる。
【００２９】
装着ベルト４を腕１４に巻き付けて引っ張った際に、台座部２５のうち、特に装置受皿２が存在しない図示左側（携帯型音楽再生装置１の後方）が湾曲し、弾性復帰力を装置固定ベルト３に与える。
台座部２５のうち装置受皿２が存在しない部分の長さは、この部分を無くすことを含めて、任意に設計できる。
【００３０】
台座部２５の裏面にある面ファスナ（パイル面）（第１の結合部材）２３には、図３（ｃ）に示すコード収納カバー１２の面ファスナ３６（フック面）（第２の結合部材）、又は、図３（ａ）に示すパッド３１の面ファスナ（フック面）３２が着脱可能に結合される。
しかし、面ファスナ（パイル面）２３が、そのまま、使用者の腕１４に接するようにしてもよい。
【００３１】
図２を参照した説明では、装置受皿２等を含む台座部２５の裏面に、収納カバー１２やパッド３１と着脱自在に結合する面ファスナ（パイル面）２３を設けていた。
これに代えて、台座部２５を設けることなく、携帯型音楽再生装置１の裏面に、収納カバー１２やパッド３１と着脱自在に結合する結合部材、例えば、面ファスナ（パイル面）２３やフックボタンを設けてもよい。
この場合、携帯型音楽再生装置１を腕１４（図１）に装着するには、携帯型音楽再生装置１に装着ベルト４を取り付ければよい。
携帯型音楽再生装置１は、また、使用者の衣服の腰ベルトに装着したり、別途、携帯型音楽再生装置１に腰装着ベルトを取り付けて使用者の腰に装着したりしてもよい。
【００３２】
図３は、図１、図２に示したコード収納カバー１２、及び、このコード収納カバー１２に代わるパッド３１の説明図である。
最初に、図３（ａ）を参照し、パッド３１について説明する。
図３（ａ）はパッド３１の表面部、図３（ｂ）はパッド３１の裏面部を示す平面図である。
パッド３１の表面部は面ファスナ（フック面）３２であり、先に説明したコード収納カバー１２と装置固定ベルト３の裏面に取り付けた面ファスナ（パイル面）２３の外形状に対向する外形状をしており、面ファスナ２３に着脱自在に結合される。
このような結合部材として、面ファスナ以外のものも使用できる。
例えば、凹部と凸部とが対になった留め金具であるスナップボタン（ホック）を用い、複数対のスナップボタンを、パッド３１の表面と装置固定ベルト３の裏面に取り付けてもよい。
パッド３１は、不要な場合や、これを洗浄したい場合に、簡単に取り外せる。
【００３３】
パッド３１の裏面部は、メッシュ状の表面を有し厚み方向に緩衝作用を有する立体編物３３である。
立体編物３３は、ダブルラッセル（ダブルラッシェル）とも呼ばれ、表編地、裏編地という２層の編地を、間隔を空けて連結糸で、筋違、交叉、トーラス等の構造で連結した編物である。表編地、裏編地は、ポリエステル等の合成繊維マルチフィラメントであり、連結糸は、ポリエステル等の合成繊維のモノフィラメントである。
図示の立体編物は、表編地を目の粗いメッシュ構造とすることにより、通気性を良好にし、連結構造により、通気性と弾性、形態復帰性を得ている。
面ファスナ（フック面）３２と立体編物３３とは、重ね合わされて、周囲をバイアステープ３４で包まれ、縫い合わせによりパッド３１を構成する。その結果、腕への装着時のフイット感が良く、通気性があり、汗を発散させやすい。
【００３４】
図３（ｃ）はコード収納カバー１２の表面部、図３（ｄ）はコード収納カバー１２の裏面部を示す平面図である。
コード収納カバー１２の表面部は、収納領域１２ｂと、この収納領域１２ｂを間にして取付領域１２ａと重ね合わせ領域１２ｃに区分され、いずれも面ファスナである。
収納領域１２ｂは、図２に示した、ジャックコード２１、イヤフォンコード９等のコード類、ジャック２２、イヤフォンプラグ４１を収納する領域であって、面ファスナ（パイル面）（第１の面ファスナ）３５を有する。
【００３５】
取付領域１２ａは、このコード収納カバー１２を、台座部２５に対し、装着ベルト４の長手方向（すなわち、台座部２５及び携帯型音楽再生装置１の長手方向）に直交する一方向に延在するように取り付ける領域であって、図２に示した面ファスナ（パイル面）（第１の結合部材）２３に対し着脱自在に面結合される面ファスナ（フック面）（第２の結合部材）３６を有する領域である。
従って、使用者の腕１４に装着ベルト４を装着した状態でも、装着ベルト４の取付けと干渉することなくコード収納カバー１２を取り付けることができる。また、コード類は携帯型音楽再生装置１の長手方向に沿って折り重ねられて収納されるので、使用者が運動中にも、携帯型音楽再生装置１との一体性が保たれる。
【００３６】
面ファスナ（フック面）（第２の結合部材）３６は、コード収納カバー１２が台座部２５に対し装着ベルト４に直交する方向に配置されたときに、面ファスナ（第１の結合部材）２３の外形状に対向する外形状（鏡対称形状）をしている。
また、パッド３１と同様に、面ファスナ２３、面ファスナ３６に代えて、複数個のスナップボタン（ホック）を用いた場合、凹凸一対のスナップボタンが対向するように位置合わせする。
コード収納カバー１２も、パッド３１と同様に、不要な場合や洗浄したい場合に、簡単に取り外せる。
【００３７】
重ね合わせ領域１２ｃは、収納領域１２ｂにある面ファスナ３５内の任意の箇所に着脱自在に面結合される面ファスナ（フック面）（第２の面ファスナ）３７となっている。
例えば、上述した面ファスナ３５をコード収納カバー１２の全体形状に合わせて裁断しておき、この面ファスナ３５の上に、上述した面ファスナ（フック面）３４及び３７を重ね、後述する裏面の立体編物３８との縫い合わせの際に一体化すればよい。
【００３８】
上述した面ファスナ３５，３７は、一方をフック面、他方をループ面とすればよい。しかし、特に、収納領域１２ｂにおける面ファスナ３５がループ面となるようにすることが好ましい。ループ面は、フック面に比べて表面が柔らかいので、収納されるコードが保護される。
また、上述した面ファスナ３５，３７は、フック面とループ面とが混在したタイプの面ファスナとしてもよい。収納領域１２ｂと重ね合わせ領域１２ｃとの区別がなくなるから、両者を重ね合わせる際の自由度が増す。加えて、面ファスナ３６も同じ混在タイプの面ファスナとすれば、コード収納カバー１２の表面を、同じ一枚の面ファスナで形成することができる。
【００３９】
図３（ｄ）に示したコード収納カバー１２の裏面部は、図３（ｂ）に示したパッド３１の裏面部と同じ立体編物３８である。従って、同様に、腕への装着時のフイット感が良く、汗を発散させやすい。
上述した表面部を構成する部材と立体編物（クッション性のあるメッシュ材）３８とが重ね合わされ、バイアステープ３４により周縁を包まれて縫い合わされることにより、コード収納カバー１２が形成される。
【００４０】
上述した収納領域１２ｂにおけるコード収納カバー１２は、その幅（装着ベルト４の長手方向）が、取付領域１２ａから重ね合わせ領域１２ｃに近づくにつれてＬ1からＬ2まで徐々に短くしている。コード収納カバー１２の幅、特に、折り曲げたときの上側を短くすることにより、上側にコードを巻き付けやすくなる。
その結果、コードの余長を収納領域１２ｂのコード収納カバー１２に巻き付ける方法をとることが容易にできる。
折り畳んだコードの余長を携帯型音楽再生装置１の脇に収容するには、折り畳んだコードの一部分を包んで束ねることができればよいので、上述した幅が短くてもさほど問題がない。
【００４１】
図４は、図３（ｃ）、図３（ｄ）に示したコード収納カバー１２の使用形態を示す説明図である。図４（ａ）にコード収納カバー１２を開いた状態を示し、図４（ｂ）にコード収納カバー１２を閉じた状態を示す。
コードプラグ６から、脈拍センサコード７と、短いジャックコード２１とが引き出され、このジャックコード２１にジャック２２が接続されている。脈拍センサコード７には、耳たぶ取付型脈拍センサ８が接続されている。
【００４２】
コードプラグ６、脈拍センサコード７、耳たぶ取付型脈拍センサ８、ジャックコード２１、ジャック２２、及び、コードクリップ１３によりコードユニット４２が構成される。
イヤフォンジャック４１、イヤフォンコード９、イヤフォン１０は、コードユニット４２に対し、外付け部材となる。イヤフォンコード９は、イヤフォンプラグ４１に接続されており、このイヤフォンプラグ４１をジャック２２に差し込むことにより、コードプラグ６とイヤフォンプラグ４１とが電気的に接続される。
【００４３】
面ファスナ（パイル面）３５の上に、コードプラグ６から引き出されたジャックコード２１、ジャック２２、イヤフォンプラグ４１、イヤフォンコード９の折り畳んだ余長部分を、コードプラグ６の側に片寄せて載置する。
次に、収納領域１２ｂの中央を谷折りに折り曲げ、コード収納カバー１２の遠端部（重ね合わせ領域１２ｃの端部）が、携帯型音楽再生装置１の右側面の近傍、すなわち、取付領域１２ａと収納領域１２ｂとの境界に合うようにして、面ファスナ（パイル面）３５と面ファスナ（フック面）３７とを面結合すると、図４（ｂ）の状態となる。
図示の例では、コードプラグ６、ジャックコード２１の引き出し部分、及び、脈拍センサコード７は、コード収納カバー１２に収納されず、コード収納カバー１２の上に露出している。
コード収納カバー１２は、コードプラグ６のある、携帯型音楽再生装置１の右側面側に延在するように取り付けられる。その結果、コードプラグ６から引き出されたジャックコード２１を、携帯型音楽再生装置１の周囲に引き回すことなく、引き出された状態のままコード収納カバー１２に収納することができる。
【００４４】
重ね合わせ領域１２ｃの面ファスナ（フック面）３７は、収納領域１２ｂの面ファスナ（パイル面）３５のどの位置にも面結合することができる。その結果、折り曲げたコード収納カバー１２に収納するコード類の分量に応じて、折り曲げた後のコード収納カバー１２の重ね合わせ領域１２ｃの端部の位置を任意に調整することができる。
【００４５】
図示の例では、イヤフォンコード９を折り畳んで収納したが、脈拍センサコード７の余長を折り畳んで収納してもよいし、両者を収納してもよい。コードを何度か折り返して重ねることによりコードの余長を収納することができる。脈拍センサコード７とイヤフォンコード９の長さが合わない場合は、長い方の折り返しを多くすればよい。
不使用時のイヤフォン１０又は耳たぶ取付型脈拍センサ８を、そのコードとともに収納するようにしてもよい。耳たぶ取付型脈拍センサ８は、そのクリップ部でコード収納カバー１２を挟んでもよい。
なお、脈拍センサコード７とイヤフォンコード９とが共通の１本のコードとなっていたり、分離したコードになっていたりして、共通のコードプラグ６から引き出される場合（ジャックコード２１、ジャック２２を用いない場合）にも、そのコード余長をコード収納カバー１２に収納することができる。
また、コードプラグ６を用いずに、携帯型音楽再生装置１から直接にコードが引き出される場合にも、コードの余長を収容できる。
【００４６】
図５は、図１に示したコードクリップ１３の構造図である。
図１に示した脈拍センサコード７とイヤフォンコード９とがバラバラにならないように結束するために、１又は複数のコードクリップ（コード結束部材）１３を用いる。
図５（ａ）はコードクリップ１３の平面図、図５（ｂ）はその側面図である。図５（ｃ）は、イヤフォンコード９としてステレオ用の丸形コード５４を用いた場合の結束状態を示す説明図であり、図５（ｄ）は、イヤフォンコード９としてステレオ用の平行丸形コード５５を用いた場合の結束状体を示す説明図である。
図５（ｅ）、図５（ｆ）は、コードクリップの他の構造例を示す平面図である。
【００４７】
図５（ａ）、図５（ｂ）に示されるように、コードクリップ１３は、軸５１に対して左右対称であり、その上面１３Aと下面１３Bとは互いに平行で、その幅がw1であり、その側面１３Cの高さがhである柱状体である。このコードクリップ１３は、弾性を有する樹脂材料で形成されている。
このコードクリップ１３には、脈拍センサコード（主コード）７を挿通するための主コード挿通孔５２と、イヤフォンコード（副コード）９を挿通するための副コード挿通凹部５３を有している。
【００４８】
主コード挿通孔５２は、脈拍センサコード７の外形（図５（ｃ）、直径D1）と同じか若干広く形成される（直径D'1）ことにより、脈拍センサコード７は、脈拍センサコード７の長手方向に移動可能に挿通される。
副コード挿通凹部５３は、イヤフォンコード（副コード）９を保持する保持部５３ａと、イヤフォンコード９を導入する開口部５３ｂを有している。
副コード挿通部５３ａは、イヤフォンコード９（図５（ｃ）に示す５４と図５（ｄ）に示す５５の場合がある）の外形よりも広く形成されることにより、挿通されたイヤフォンコード９をコード長手方向に移動可能に、かつ、脈拍センサコード７との相対位置関係を一定距離内に保持する。
開口部５３ｂは、イヤフォンコード９を、副コード挿通部５３ａに導入する途中経路となる。
【００４９】
副コード挿通凹部５３は、その副コード挿通部５３ａにイヤフォンコード９が導入される際に、イヤフォンコード９の押圧による弾性変形により、その開口部５３ｂが一時的に拡幅する。
より具体的には、このコードクリップ１３は、主コード挿通孔５２が形成されたベース部１３ａと、副コード挿通凹部５３が相互の間に形成された左アーム部１３ｂと右アーム部１３ｃとを有している。
【００５０】
左アーム部１３ｂと右アーム部１３ｃとは、左右対称であり、開口部５３ｂが、イヤフォンコード９の導入方向（図示、下方向）に徐々に狭くなるようにされ、最小の開口幅w2は、イヤフォンコード９の外形より狭い。
従って、イヤフォンコード９が副コード挿通部５３ａに導入される際、左アーム部１３ｂと右アーム部１３ｃとが、イヤフォンコード９に押圧されベース部１３ａに対し徐々に弾性変形することにより、開口部５３ｂが一時的に拡幅する。その結果、イヤフォンコード９は副コード挿通部５３ａに導入される。
【００５１】
イヤフォンコード９が副コード挿通部５３ａに挿通された後は、第１、第２のアーム部１３ｂ，１３ｃの弾性変形が元に復帰する。
イヤフォンコード９が導出される際も、左アーム部１３ｂと右アーム部１３ｃとが、イヤフォンコード９に押圧されベース部１３ａに対し弾性変形することにより、開口部５３ｂが一時的に拡幅する。その結果、イヤフォンコード９は副コード挿通部５３ａから導出される。ただし、図示の例では、開口部５３ａの構造が、導出側では、最初から最小の開口幅w2になっており、徐々に拡幅されるものではないので、導出されにくい構造である。
【００５２】
図５（ｃ）、図５（ｄ）に示すように、この実施形態では、イヤフォンコード９として外形状の異なるコードを使用可能にする。
図５（ｃ）に示す丸形コード５４を用いた場合、この直径をD2とすると、副コード挿通部５３ａの外形は、丸形コード５４の外形（直径D2）より広く形成し、開口部５３ｂの開口幅w2は直径D2よりも狭くする必要がある。
一方、図５（ｄ）に示す平行丸形コード５５を用いた場合、この短辺（丸形の直径）をD3（D3＜D2）、長辺をD4とすれば、副コード挿通部５３ａの外形は、この平行丸形コード５５の外形（短辺D3、長辺D4）より広く形成し、開口部５３ｂの開口幅w2は、短辺D3よりも狭くする必要がある。
【００５３】
以上の要求を満たすコードクリップ１３の一具体例として、副コード挿通部５３ａの形状は、開口部５３ｂからイヤフォンコード（副コード）９の導入方向（図示下方）に沿って、この順に小径円（直径D3’）と大径円（直径D2’）とが部分的に重なる連結円（だるま型形状）としている。その導入方向の縦幅はD4’とする。
ただし、部分的に重なる領域における外形S1の横幅は、小径円の直径D3’としている。また、開口部５３ｂの開口幅w2は、平行丸形コード５５の横幅D3よりも幅狭にしている。
【００５４】
その結果、副コード挿通部５３ａは、イヤフォンコード（副コード）９として、上述した大径円（直径D2’）よりも小さな直径D2の丸形コード５４（図５（ｃ））と、上述した小径円（直径D3’）よりも小さな短辺D3と、上述した縦幅D4’（図５（ａ））よりも短い長辺D4の平行丸形コード（図５（ｄ））、のいずれも挿通可能となる。
図５（ｃ）に示した丸形コード５４は、開口部５３ｂの開口w2及び副コード挿通部５３ａの小径円の輪郭D3’により、副コード挿通部５２からの脱落が阻止される。一方、図５（ｄ）に示した平行丸形コード５５は、開口部５３ｂの開口w2により、副コード挿通部５２からの脱落が阻止される。
【００５５】
上述した説明では、脈拍センサコード７を主コードとした。そのため、１又は複数のコードクリップ１３を使って、脈拍センサコード７にイヤフォンコード９など、別のコードを合体させることができ、分離独立したコードの取扱いが容易となる。このコードクリップ１３は、脈拍センサコード７に沿って移動可能であるから、合体させたい箇所において結束することができる。
逆に、イヤフォンコード９を主コードとしてもよく、この場合、１又は複数のコードクリップ１３を使って、イヤフォンコード９に、脈拍センサコード７を合体させることができる。
【００５６】
なお、コードクリップ１３の主コード挿通孔５２に脈拍センサコード（主コード）７を予め挿通しておくには、脈拍センサコード７に脈拍センサ８又はコードプラグ６を電気的に接続する前の状態において、脈拍センサコード７の一端を主コード挿通孔５２に挿通しておけばよい。
あるいは、コードクリップ１３を製造する金型に、脈拍センサコード（主コード）７を挿入した状態で、樹脂成型してもよい。
【００５７】
なお、副コード挿通部５３の形状は、図５（ｆ）、図５（ｇ）のような形状にしてもよい。副コード挿通部以外の構成は、図５（ａ）と同様である。
図５（ｆ）、図５（ｇ）に示すコードクリップ１３でも、開口部５６ｂ，５７ｂからイヤフォンコード９の導入方向に沿って、この順に部分的に重なる、小径円（直径D3’）と大径円（直径D2’）となり、その導入方向の縦幅をD4’とする連結円（だるま型形状）としている。
ただし、図５（ｆ）では、部分的に重なる領域における外形S2は、小径円と大径円の交点で切り換わるようにしている。
また、図５（ｇ）では、部分的に重なる領域における外形S3は、小径円と大径円の接線としている。
【００５８】
図６は、図５に示したコードクリップ１３の使用例を示す説明図である。
図６（ａ）は図１、図４に示した使用例を示し、図６（ｂ）、図６（ｃ）はイヤフォンコード９を使用しない例を示す。
図示のコード収納カバーの範囲は、収納可能な範囲を示し、図４等に示したコード収納カバー１２が収納している範囲とは一致しない。図４では、脈拍センサコード７を収納していない。
図６（ａ）において、携帯型音楽再生装置１に接続されるコードユニット４２は、携帯型音楽再生装置１の付属品のオプションとして提供される。
ジャックコード２１とジャック２２とを用いたのは、携帯型音楽再生装置１の様々な使用形態を考慮したことによる。
【００５９】
イヤフォン１０には種々の特性、特長のある製品があり、使用者は日頃使用している自分のイヤフォンを使用したいと考える。このような場合のために、短いジャックコード２１の先にジャック２２を接続したコードユニット４２を用意した。
使用者は、気に入っているイヤフォン１０のイヤフォンプラグ４１をジャック２２に差し込んで使用することができる。
なお、脈拍センサコード７のプラグをイヤフォンプラグ４１とは別のプラグとすることも考えられる。携帯型音楽再生装置１には、これらが別々に差し込まれる２つのコネクタ端子部を設ける。しかし、そうすると、携帯型音楽再生装置１の構造が大きくなる。コネクタ端子部を小型化すれば、機械的強度が落ちてコネクタ端子部が故障するおそれがある。また、図７を参照して後述するように、コネクタ結合部分の防水性を考慮すれば、上述したコネクタ端子部は共通にしたい。
【００６０】
コードクリップ１３2〜１３5は、脈拍センサコード７とイヤフォンクリップ９とを結束している。これに対し、コードクリップ１３1は結束に使用されていない。結束に使用されていないコードクリップ１３1は、脈拍センサコード７に挿通されているため、紛失することがない。
【００６１】
また、スポーツジム等において、自転車型エルゴメータ、トレッドミル、ストレングスマシン等のトレーニング機械を使用した運動などの反復運動をしながら、トレーニング機械のスピーカから放音される音楽を聴く場合に、この携帯型音楽再生装置１では、脈拍の計測のみをする。このような場合、図６（ｂ）、図６（ｃ）に示すように、イヤフォンコード９を取り外して使用することができる。
【００６２】
図６（ｂ）、図６（ｃ）に示す例では、イヤフォンコード９がないため、全てのコードクリップ１３1〜１３5は、結束に使用されていない。これらは、コード収納カバー１２内にまとまるようにスライドさせておけば、目障りにならない。
この場合、コードクリップ１３1〜１３3のように、ジャックコード２１を脈拍センサコード７に結束するために使用することができる。
【００６３】
特に、図６（ｃ）に示すように、コードクリップ１３1〜１３5を千鳥状に配置し、コードクリップ１３1，１３3，１３5により、ジャックコード２１のコードプラグ６側を脈拍センサコード７と結束し、コードクリップ１３2，１３4によりジャックコード２１のジャック２２側を脈拍センサコード７と結束することもできる。
この場合、コードクリップ１３1〜１３5により、ジャックコード２１をＵ字状に保持することができる。
【００６４】
上述したコードクリップ１３を用いることにより、耳たぶ装着型脈拍センサコード７とイヤフォンコート９とを、一体化して使用したり、別々にして使用したりすることができる。脈拍を計測しながらイヤフォンで音楽を聞く際に、コードクリップにより、それぞれのコードがバラバラにならないので、コードを扱いやすい。
コードクリップ１３は、耳たぶ装着型脈拍センサコード７という一方のコードに取り外しできないように挿通されている。従って、コードクリップを外す場合、コードクリップは、主コード側に残ることになるので、コードクリップを紛失することがなく管理しやすく、再度、両コードを一体化しようとする際にも一体化しやすい。
コードクリップ１３は、一端がクリップ状のアームであるので、他方のコードを簡単に着脱することができる。着脱の際に、コードクリップの切断や塑性変形を伴わないので、コードクリップは、何度でも着脱して繰り返し使用ができる。
【００６５】
上述したコードユニット４２の他、脈拍センサコード７とイヤフォンコード９とが、コードプラグ６から分離して引き出されている場合（ジャックコード２１とジャック２２が介在しない場合）においても、いずれかのコードが挿通孔に挿通されたコードクリップ１３を使用して、脈拍センサコード７とイヤフォンコード９とを結束することができる。
この場合のコードユニットは、コードプラグ６、脈拍センサコード７、耳たぶ取付型脈拍センサ８、イヤフォンコード（電気音響変換器用のコード）９、イヤフォン（電気音響変換器）１０で構成され、携帯型音楽再生装置１に添付された付属品として使用者に提供される。
また、先に比較例として示した、脈拍センサコード７のプラグとイヤフォンプラグ４１とを別々にした場合においても、いずれかのコードが挿通孔に挿通されたコードクリップ１３を使用して、脈拍センサコード７とイヤフォンコード９とを結束することができる。
【００６６】
コードクリップ１３を一方のコード（主コード）に挿通し、この一方のコードに他方のコード（副コード）を結束するものであれば、上述したコードクリップ１３は、同様の作用効果を奏する。
主コードは、例えば、その一端が電子装置本体部に対して第１のコネクタ（第１のプラグ）を介して、又は、第１のコネクタを介さずに直接的に、電気的接続され、他端が第１の外部取付される装置に電気的接続されたものであればよい。電子装置本体部は携帯用でなくてもよい。
副コードは、例えば、その一端が電子装置本体部に対して第２のコネクタ（第２のプラグ、第１のコネクタと共通であってもよい）を介して、又は、第２のコネクタを介さずに直接的に、電気的接続され、他端が第２の外部取付される装置に電気的接続されたものであればよい。
電子装置本体の付属品として電気接続用コードユニットが用意される場合、この電気接続用コードユニットは、少なくとも、第１のコネクタ、主コード、第１の外部取付される装置、１又は複数のコード結束部材を有し、加えて、第２のコネクタ、副コード、第２の外部取付される装置を含む場合がある。
外部取付される装置としては、これまでに説明した、耳たぶ取付型脈拍センサ８、イヤフォン１０、ヘッドフォンのほか、その他のセンサ（例えば加速度センサ）、マイクロフォン、電子装置本体部に対するリモコン操作部などがある。また、ジャック２２のような中間接続コネクタも、外部取付される装置ということができる。
【００６７】
図７は、図１に示したコードプラグ６の構造を示す説明図である。
図７（ａ）〜図７（ｃ）は、コードプラグ６の分解構成図であり、図７（ａ）は本体部分の側面図を示し、図７（ｂ）は防水キャップ６２の側面図、図７（ｃ）は防水キャップ６２の平面図である。
図７（ｄ）は、図７（ａ）の本体部分に図７（ｂ）、図７（ｃ）に示した防水キャップを取り付けたコードプラグ６の側面図である。図７（ｅ）は、コードプラグ６の底面図である。
図７（ｆ）は、コードプラグ６を図１、図２に示した携帯型音楽再生装置１のコネクタ端子部に差し込んだ状態を示す説明図である。
【００６８】
図７（ａ）に示す本体部において、コネクタ結合用で略直方体の突起部６ｂが、主部６ａの下方に突出し、この突起部６ｂの側面に係合凹部６ｄが形成されている。
突起部６ｂの下面からコネクタ結合用で外形が不等６角形の筒状で金属製のシールド筒体６１（図７（ｅ）参照）が突出している。
主部６ａの左側にコード引出部６ｃが延設され、脈拍センサコード７及びジャックコード２１が引き出されている。
【００６９】
図７（ｂ）、図７（ｃ）に示す防水キャップ６２は、矩形筒状の基部６２ａの下に、スカート部６２ｂが、肉厚を徐々に薄く裾広がりに形成されたもので、シリコンゴム等の弾性を有する合成樹脂で形成されている。
基部６２ａの内面には係合凸部６２ｃが形成されている。防水キャップ６２が図７（ａ）に示した突起部６ｂに嵌めこまれる際に、係合凸部６２ｃが係合凹部６１ｄに係合することにより、防水キャップ６２が突起部６ｂに密着固定される。
【００７０】
図７（ｄ）、図７（ｅ）に示すコードコネクタ６において、６１ａはシールド筒体６１に切り込みを入れて形成された板バネである。シールド筒体６１内には、凹部６３が形成され、ここに、携帯型音楽再生装置１の側の図示されないコネクタ端子板と物理的かつ電気的に結合することにより、携帯型音楽再生装置１側と電気的に接続される。
図７（ｆ）に示すように、携帯型音楽再生装置１の右側面に形成されたコネクタ端子部（携帯型音楽再生装置側）１ｋの凹部６４に、突起部６ｂを差し込むと、シールド筒体６１は、携帯型音楽再生装置１側のシールド筒体６５内に摺動挿入されるとともに、図示されない携帯型音楽再生装置１の側のコネクタ端子板が凹部６３に挿入される。
その際、防水キャップ６２のスカート部６２ｂは、押しつぶされて扁平になり、携帯型音楽再生装置１の右側面に密着し防水キャップとなる。
【００７１】
上述した説明では、電子装置本体部として、耳たぶ取付型脈拍センサ８を用いる携帯型音楽再生装置１を例示して説明した。しかし本発明は、耳たぶ取付型脈拍センサ８を用いない一般的な携帯型音楽再生装置のほか、携帯電話機、携帯型コンピュータ、携帯型ゲーム機等にも適用可能であり、同様の作用効果を奏する。
【図面の簡単な説明】
【００７２】
【図１】本発明の実施の一形態を示す説明図である。
【図２】図１に示した携帯型音楽再生装置、装置固定ベルト、装着ベルト等の詳細を示す構造図である。
【図３】図１、図２に示したコード収納カバー、及び、このコード収納カバーに代わるパッドの説明図である。
【図４】図３（ｃ）、図３（ｄ）に示したコード収納カバーの使用形態を示す説明図である。
【図５】図１に示したコードクリップの構造図である。
【図６】図５に示したコードクリップの使用例を示す説明図である。
【図７】図１に示したコードプラグの構造を示す説明図である。
【符号の説明】
【００７３】
１…携帯型音楽再生装置（携帯型電子装置本体部）、１ａ…上部筐体、１ｂ…下部筐体、１ｃ…電源スイッチ、１ｄ…押下操作スイッチ、１ｅ…指掛部、１ｆ，１ｇ…レバースイッチ、１ｈ…液晶表示画面、１ｉ…USBコネクタ端子収容部、１ｊ…係合凸部、１ｋ…コネクタ端子部、
２…装置受皿、２ａ…係合凹部、２ｂ…摘み、３…装置固定ベルト、３ａ…窓部、３ｂ…上端部、３ｃ…下端部、４…装着ベルト、４ａ…基布面、４ｂ…パイル面、５…リング部材、
６…コードプラグ（共通プラグ）、６ａ…主部、６ｂ…突起部、６ｃ…引出部、６ｄ…係合凹部、
７…脈拍センサコード（主コード）、８…耳たぶ取付型脈拍センサ、９…イヤフォンコート（副コード、電気音響変換器用のコード）、９Ｌ…左耳用イヤフォンコード、９Ｒ…右耳用イヤフォンコード、１０…イヤフォン（電気音響変換器）、１０Ｒ…右耳用イヤフォン、１０Ｌ…左耳用イヤフォン、１１…イヤフォンコード分岐部材、
１２…コード収納カバー（コード収納部）、１２ａ…取付領域、１２ｂ…収納領域、１２ｃ…重ね合わせ領域、
１３…コードクリップ（コード結束部材）、１３A…上面、１３B…下面、１３C…側面、１３ａ…ベース部、１３ｂ…左アーム部、１３ｃ…右アーム部、１３1〜１３6…コードクリップ、
１４…腕、１５…耳、２１…ジャックコード、２２…ジャック、２３…面ファスナ（第１の結合部材）、２５…台座部（装置受皿２、装置固定ベルト３の一部、面ファスナ２３）、２６…接合部、２７…面ファスナ、２８…摘み、２９…鳩目、３１…パッド、３２…面ファスナ、３３…立体編物、３４…バイアステープ、３５…面ファスナ（第１の面ファスナ）、３６…面ファスナ（第２の結合部材）、３７…面ファスナ（第２の面ファスナ）、３８…立体編物（クッション性のあるメッシュ材）、
４１…イヤフォンプラグ、４２…コードユニット（コードプラグ６、脈拍センサコード７、耳たぶ取付型脈拍センサ８、ジャックコード２１、ジャック２２、コードクリップ１３）、
５１…軸、５２…主コード挿通孔、５３…副コード挿通凹部、５３ａ…副コード挿通部、５３ｂ…開口部、５４…丸形コード、５５…平行丸形コード、５６，５７…副コード挿通凹部、５６ａ，５７ａ…副コード挿通部、５６ｂ，５７ｂ…開口部、
６１…シールド筒体、６１ａ…板バネ、６２…防水キャップ、６２ａ…基部、６２ｂ…スカート部、６２ｃ…係合凸部、６３…凹部、６４…コネクタ端子部１ｋの凹部（携帯型音楽再生装置１側）、６５…シールド筒体（携帯型音楽再生装置１側）
【図１】
2010075263.tif 000003
【図２】
2010075263.tif 000004
【図３】
2010075263.tif 000005
【図４】
2010075263.tif 000006
【図５】
2010075263.tif 000007
【図６】
2010075263.tif 000008
【図７】
2010075263.tif 000009